(57)【要約】      （修正有）【課題】表示領域に供給される電流の最大値を抑制可能な流量計を提供する。【解決手段】流路１１が設けられた流路保持体１０と、流路１１を流れる流体の流量を計測する流量計測部３０１と、計測された流量を表示する表示システム１５０と、を備える流量計であって、表示システム１５０が、それぞれ発光部材が配置された複数の表示領域を有する表示装置３５と、発光部材に電流を供給し、発光部材の点滅を制御する点滅制御装置３２と、を備え、点滅制御装置３２が、複数の表示領域のそれぞれに電流を逐次供給することによって、複数の表示領域のそれぞれの中の発光部材を逐次発光させる、流量計を提供する。【選択図】図１
2010224227.tif 000002
【特許請求の範囲】
【請求項１】
それぞれ発光部材が配置された複数の表示領域と、
前記発光部材に電流を供給し、前記発光部材の点滅を制御する制御装置と、
を備え、
前記制御装置が、前記複数の表示領域のそれぞれに前記電流を逐次供給することによって、前記複数の表示領域のそれぞれの中の前記発光部材を逐次発光させる、表示システム。
【請求項２】
前記制御装置に前記電流を供給する電源を更に備え、
前記電源が前記電流の供給を開始した場合、前記制御装置が、前記複数の表示領域のそれぞれに前記電流を逐次供給することによって、前記複数の表示領域のそれぞれの中の前記発光部材を逐次発光させる、請求項１に記載の表示システム。
【請求項３】
インタフェースを更に備え、
前記インタフェースが信号を受信した場合、前記制御装置が、前記複数の表示領域のそれぞれに前記電流を逐次供給することによって、前記複数の表示領域のそれぞれの中の前記発光部材を逐次発光させる、請求項１又は２に記載の表示システム。
【請求項４】
前記複数の表示領域が、一列に配置されている、請求項１乃至３のいずれか１項に記載の表示システム。
【請求項５】
前記複数の表示領域のそれぞれが、数値を表示する、請求項１乃至４のいずれか１項に記載の表示システム。
【請求項６】
流路が設けられた流路保持体と、
前記流路を流れる流体の流量を計測する流量計測部と、
前記計測された流量を表示する表示システムと、
を備える流量計であって、
前記表示システムが、
それぞれ発光部材が配置された複数の表示領域と、
前記発光部材に電流を供給し、前記発光部材の点滅を制御する制御装置と、
を備え、
前記制御装置が、前記複数の表示領域のそれぞれに前記電流を逐次供給することによって、前記複数の表示領域のそれぞれの中の前記発光部材を逐次発光させる、流量計。
【請求項７】
流路が設けられた流路保持体と、
前記流路を流れる流体の流量を計測する流量計測部と、
前記計測された流量を表示する表示システムと、
前記流路を流れる流体の流量を制御するための制御弁と、
前記検出された流量に基づき、前記制御弁を駆動し、前記流路を流れる流体の流量を調節するコントローラと、
を備える流量制御装置であって、
前記表示システムが、
それぞれ発光部材が配置された複数の表示領域と、
前記発光部材に電流を供給し、前記発光部材の点滅を制御する制御装置と、
を備え、
前記制御装置が、前記複数の表示領域のそれぞれに前記電流を逐次供給することによって、前記複数の表示領域のそれぞれの中の前記発光部材を逐次発光させる、流量制御装置。
【発明の詳細な説明】
【技術分野】
【０００１】
本発明は電気技術に関し、表示システム、流量計、及び流量制御装置に関する。
【背景技術】
【０００２】
工業炉、ボイラ、及び空調熱源機器等においては、適切な流量で流体が供給されることが求められている。そのため、流量を正確に計測するための流量計が種々開発されている。流量計は、例えば、測定した流量の数値を表示装置に表示する。表示装置は、例えば、マトリックス状に配置された複数の発光ダイオードを備え（例えば、特許文献１参照。）、流量の数値をデジタル表示する。
【先行技術文献】
【特許文献】
【０００３】
【特許文献１】特開２００６−１４５８２６号公報
【発明の概要】
【発明が解決しようとする課題】
【０００４】
表示装置が流量の数値をデジタル表示する際、複数の発光ダイオードの一部が発光して、数値を表現する。また、発光ダイオードの玉切れ（発光しない故障）を検査するために、発光ダイオードの総てに電流を供給し、発光ダイオードの総てを発光させる場合がある。しかし、発光ダイオードの総てに電流を供給しようとすると、一時的に過大な電流を供給せねばならず、そのためだけに大きな容量を持つ電源を備える必要があるという問題があった。そこで本発明は、発光ダイオード等の発光部材の玉切れを検査する際に、表示領域に供給される電流の最大値を抑制可能な表示システム、流量計、及び流量制御装置を提供することを目的の一つとする。
【課題を解決するための手段】
【０００５】
本発明の態様は、それぞれ発光部材が配置された複数の表示領域と、発光部材に電流を供給し、発光部材の点滅を制御する制御装置と、を備え、制御装置が、複数の表示領域のそれぞれに電流を逐次供給することによって、複数の表示領域のそれぞれの中の発光部材を逐次発光させる、表示システムであることを要旨とする。本発明に係る表示システムによれば、複数の表示領域のそれぞれの中の発光部材を逐次発光させることにより、表示領域に供給される電流の最大値を低くすることが可能となる。
【０００６】
本発明の他の態様は、流路が設けられた流路保持体と、流路を流れる流体の流量を計測する流量計測部と、計測された流量を表示する表示システムと、を備える流量計であって、表示システムが、それぞれ発光部材が配置された複数の表示領域と、発光部材に電流を供給し、発光部材の点滅を制御する制御装置と、を備え、制御装置が、複数の表示領域のそれぞれに電流を逐次供給することによって、複数の表示領域のそれぞれの中の発光部材を逐次発光させる、流量計であることを要旨とする。
【０００７】
本発明の他の態様は、流路が設けられた流路保持体と、流路を流れる流体の流量を計測する流量計測部と、計測された流量を表示する表示システムと、流路を流れる流体の流量を制御するための制御弁と、検出された流量に基づき、制御弁を駆動し、流路を流れる流体の流量を調節するコントローラと、を備える流量制御装置であって、表示システムが、それぞれ発光部材が配置された複数の表示領域と、発光部材に電流を供給し、発光部材の点滅を制御する制御装置と、を備え、制御装置が、複数の表示領域のそれぞれに電流を逐次供給することによって、複数の表示領域のそれぞれの中の発光部材を逐次発光させる、流量制御装置であることを要旨とする。
【発明の効果】
【０００８】
本発明によれば、表示領域に供給される電流の最大値を抑制可能な表示システム、流量計、及び流量制御装置を提供可能である。
【図面の簡単な説明】
【０００９】
【図１】本発明の第１の実施の形態に係る流量計の断面図である。
【図２】本発明の第１の実施の形態に係る入力装置及び表示装置を示す第１の上面図である。
【図３】本発明の第１の実施の形態に係る流れセンサの斜視図である。
【図４】本発明の第１の実施の形態に係る流れセンサの図３のＩＶ−ＩＶ方向から見た断面である。
【図５】本発明の第１の実施の形態に係る流量計を流れる流体の瞬時流量の例を示すグラフである。
【図６】本発明の第１の実施の形態に係る入力装置及び表示装置を示す第２の上面図である。
【図７】本発明の第１の実施の形態に係る入力装置及び表示装置を示す第３の上面図である。
【図８】本発明の第１の実施の形態に係る入力装置及び表示装置を示す第４の上面図である。
【図９】本発明の第１の実施の形態に係る入力装置及び表示装置を示す第５の上面図である。
【図１０】本発明の第１の実施の形態に係る入力装置及び表示装置を示す第６の上面図である。
【図１１】本発明の第１の実施の形態に係る入力装置及び表示装置を示す第７の上面図である。
【図１２】本発明の第１の実施の形態の比較例に係る入力装置及び表示装置を示す上面図である。
【図１３】本発明の第２の実施の形態に係る自立盤及び表示装置を示す斜面図である。
【図１４】本発明の第３の実施の形態に係る入力装置及び表示装置を示す第１の上面図である。
【図１５】本発明の第３の実施の形態に係る入力装置及び表示装置を示す第２の上面図である。
【図１６】本発明の第３の実施の形態に係る入力装置及び表示装置を示す第３の上面図である。
【図１７】本発明の第３の実施の形態に係る入力装置及び表示装置を示す第４の上面図である。
【図１８】本発明の第３の実施の形態に係る入力装置及び表示装置を示す第５の上面図である。
【図１９】本発明の第３の実施の形態に係る入力装置及び表示装置を示す第６の上面図である。
【図２０】本発明の第４の実施の形態に係る流量制御装置の断面図である。
【発明を実施するための形態】
【００１０】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１１】
（第１の実施の形態）
第１の実施の形態に係る流量計は、断面図である図１に示すように、気体又は液体等の流体が流れる流路１１が設けられた流路保持体１０と、流路保持体１０上に配置された制御ユニット３０と、を備える。制御ユニット３０は、中央演算処理装置（ＣＰＵ）３００を備える。ＣＰＵ３００は、流路１１を流れる流体の流量を計測する流量計測部３０１を備える。
【００１２】
流量計は、さらに、計測された流量を表示する表示システム１５０を備える。表示システム１５０は、図２に示すように、それぞれ発光部材が配置された複数の表示領域３１ａ，３１ｂ，３１ｃ，３１ｄ，３１ｅを有する表示装置３５と、発光部材に電流を供給し、発光部材の点滅を制御する図１に示す点滅制御装置３２と、点滅制御装置３２に電流を供給する電源２００と、を備える。複数の表示領域３１ａ，３１ｂ，３１ｃ，３１ｄ，３１ｅのそれぞれにおいて、複数の発光部材がマトリックス状に配置されている。なお、発光部材としては、発光ダイオード等が使用可能である。ここで、電源２００のスイッチが入り、流量計が立ち上がった場合に、点滅制御装置３２が、横一列に配置された複数の表示領域３１ａ，３１ｂ，３１ｃ，３１ｄ，３１ｅのそれぞれに電流を逐次供給することによって、複数の表示領域３１ａ，３１ｂ，３１ｃ，３１ｄ，３１ｅのそれぞれの中の発光部材を逐次発光させる。
【００１３】
なお、図１は断面図であるが、制御ユニット３０の内部は模式的に描かれており、実際には、マイクロプロセッサ、ランダムアクセスメモリ（ＲＡＭ）、リードオンリメモリ（ＲＯＭ）、Ｉ／Ｏ回路等が制御ユニット３０の内部に配置されている。
【００１４】
流路保持体１０には、注入口１３及び排出口１４が設けられており、流路１１は、注入口１３から排出口１４に流路保持体１０の内部を貫通している。注入口１３及び排出口１４のそれぞれには、ガスや液体等の流体を通す配管が挿入される。流路１１の内壁には、流れセンサ８が配置されている。
【００１５】
流れセンサ８は、斜視図である図３、及びＩＶ−ＩＶ方向から見た断面図である図４に示すように、キャビティ６６が設けられた基板６０、基板６０上にキャビティ６６を覆うように配置された絶縁膜６５、及び絶縁膜６５に設けられたヒータ６１を備える。また、流れセンサ８は、ヒータ６１より図１に示す流路１１の上流側に位置する図３及び図４に示す上流側測温抵抗素子６２、ヒータ６１より下流側に位置する下流側測温抵抗素子６３、及び上流側測温抵抗素子６２より上流側に設けられた周囲温度センサ６４を備える。
【００１６】
絶縁膜６５のキャビティ６６を覆う部分は、断熱性のダイアフラムをなしている。周囲温度センサ６４は、図１に示す流路１１に流入してきた流体の温度を測定する。図３及び図４に示すヒータ６１は、キャビティ６６を覆う絶縁膜６５の中心に配置されており、流路１１に流れる流体を、周囲温度センサ６４が計測した温度よりも一定温度、例えば１０℃高くなるよう、加熱する。上流側測温抵抗素子６２はヒータ６１より上流側の温度を検出するために用いられ、下流側測温抵抗素子６３はヒータ６１より下流側の温度を検出するために用いられる。
【００１７】
ここで、図１に示す流路１１中の流体が静止している場合、図３及び図４に示すヒータ６１で加えられた熱は、上流方向と下流方向へ対称的に拡散する。したがって、上流側測温抵抗素子６２及び下流側測温抵抗素子６３の温度は等しくなり、上流側測温抵抗素子６２及び下流側測温抵抗素子６３の電気抵抗は等しくなる。これに対し、図１に示す流路１１中の流体が上流から下流に流れている場合、図３及び図４に示すヒータ６１で加えられた熱は、下流方向に運ばれる。したがって、上流側測温抵抗素子６２の温度よりも、下流側測温抵抗素子６３の温度が高くなる。そのため、上流側測温抵抗素子６２の電気抵抗と、下流側測温抵抗素子６３の電気抵抗に差が生じる。下流側測温抵抗素子６３の電気抵抗と上流側測温抵抗素子６２の電気抵抗の差は、図１に示す流路１１中の流体の流速と相関関係がある。そのため、図３及び図４に示す下流側測温抵抗素子６３の電気抵抗と上流側測温抵抗素子６２の電気抵抗の差から、図１に示す流路１１を流れる流体の流量が求められる。
【００１８】
図３及び図４に示す基板６０の材料としては、シリコン（Ｓｉ）等が使用可能である。絶縁膜６５の材料としては、酸化ケイ素（ＳｉＯ2）等が使用可能である。キャビティ６６は、異方性エッチング等により形成される。またヒータ６１、上流側測温抵抗素子６２、下流側測温抵抗素子６３、及び周囲温度センサ６４のそれぞれの材料には白金（Ｐｔ）等が使用可能であり、リソグラフィ法等により形成可能である。
【００１９】
図１に示す流路１１の一部には、流路１１の内径を狭める絞り１２が設けられている。絞り１２における流路１１の断面積は、流路１１内の流体の流速が、流れセンサ８の流速計測範囲内となるよう、適宜設定される。また、流れセンサ８は、制御ユニット３０のＣＰＵ３００に電気的に接続されている。
【００２０】
ＣＰＵ３００の流量計測部３０１は、流れセンサ８から、図３及び図４に示す下流側測温抵抗素子６３の電気抵抗の値と、上流側測温抵抗素子６２の電気抵抗の値を受信する。さらに、図１に示す流量計測部３０１は、図３及び図４に示す下流側測温抵抗素子６３の電気抵抗の値と、上流側測温抵抗素子６２の電気抵抗の値との差に基づいて、図１に示す流路１１を流れる流体の流速Ｖの値を算出する。また、流量計測部３０１は、下記（１）式に示すように、流速Ｖに絞り１２の断面積Ａを乗じて、流体の瞬時流量Ｑを算出する。
Ｑ  ＝  Ｖ  ×  Ａ  ・・・（１）
なお、流体の流速Ｖの単位は、例えばｍ／ｍｉｎであり、絞り１２の断面積Ａの単位は、例えばｍ2である。また、流量計測部３０１は、所定の記録間隔をおいて、図５に示すように、瞬時流量Ｑを算出し、記録することを継続する。なお、記録間隔は、例えば、図１に示すＣＰＵ３００に含まれるインタフェース３５０に接続された入力装置２５１を介して、オペレータによって設定される。
【００２１】
さらに、流量計測部３０１は、記録間隔をおいて算出された瞬時流量Ｑを、記録を開始した時点から現在まで積分して、積算流量Ｓを経時的に算出する。ＣＰＵ３００には、流量計測部３０１で算出された瞬時流量Ｑ及び積算流量Ｓを保存する流量記憶装置４００が接続されている。流量計測部３０１は、算出した瞬時流量Ｑ及び積算流量Ｓを、流量記憶装置４００に保存する。流量記憶装置４００は、例えばＲＡＭ等の揮発性記憶装置である。また、流量計測部３０１は、算出した瞬時流量Ｑあるいは積算流量Ｓを、インタフェース３５０及び点滅制御装置３２を介して、図６に示すように、表示装置３５の表示領域３１ａ〜３１ｅに表示させる。なお、瞬時流量又は積算流量の値の桁数が、表示装置３５で表示可能な桁数よりも多い場合、表示装置３５は、瞬時流量又は積算流量の値を上位桁と下位桁に分割し、上位桁の値と、下位桁の値を交互に表示してもよい。
【００２２】
ＣＰＵ３００は、計測された流量に基づき、流体の使用料金を算出する料金算出部３０２、及びオペレータが設定した設定時間に、流体の使用料金の算出条件を変更する算出条件変更部３０３をさらに備える。料金算出部３０２は、下記（２）式に示すように、流量記憶装置４００に保存されている積算流量Ｑに、流体の使用料金を算出するための係数Ｋを乗じて、流体の使用料金Ｆを算出する。なお、係数Ｋの単位は、例えば円／ｍ3である。さらに、料金算出部３０２は、流体の算出した使用料金Ｆを、インタフェース３５０及び点滅制御装置３２を介して、表示装置３５に表示させる。
Ｆ  ＝  Ｑ  ×  Ｋ  ・・・（２）
【００２３】
ＣＰＵ３００には、算出条件記憶装置４０１が接続されている。算出条件記憶装置４０１には、料金算出部３０２によって使用される、流体の使用料金を算出するための係数Ｋが保存される。ここで、流体の使用料金を算出するための係数Ｋは、例えば月単位あるいは年単位を含む時間単位で変更され得る。そのため、算出条件記憶装置４０１には、入力装置２５１及びインタフェース３５０を介して、使用時間別の複数の係数Ｋが保存される。
【００２４】
算出条件変更部３０３は、オペレータが入力装置２５１を介して設定した設定時間に、流体の使用料金を算出するための係数Ｋを変更するよう、料金算出部３０２に指示する。一例として、現在使用されている係数Ｋが１３０円／ｍ3であるのを、設定時間として設定された翌月の午前０時０分に、１５０円／ｍ3に変更するよう、算出条件変更部３０３は、料金算出部３０２に指示する。なお、設定時間は、ＣＰＵ３００に接続された設定時間記憶装置４０２に保存される。ＣＰＵ３００は、タイマ３０４をさらに備える。タイマ３０４は、算出条件変更部３０３に、現在の時間及び設定時間を通知する。
【００２５】
表示装置３５は、図２に示すように、単位表示部３７及び警告灯３８をさらに含む。単位表示部３７は、表示領域３１ａ，３１ｂ，３１ｃ，３１ｄ，３１ｅで表示された数値の単位を表示する。警告灯３８は、流量等の演算に何らかのエラーが生じたときに点灯する。入力装置２５１は、例えば、左シフトキー２１、右シフトキー２２、下キー２３、上キー２４、実行キー２５、入力キー２６、及び表示キー２７を備える。入力装置２５１は、流体の使用料金を算出するための係数Ｋ、及び設定時間のオペレータによる入力を受け付ける。
【００２６】
ここで、オペレータが、図１に示す電源２００のスイッチを入れ、流量計を立ち上げ、電源２００が電流の供給を開始した場合、まず点滅制御装置３２は、図７に示すように、表示領域３１ｂ〜３１ｅ内の発光部材には電源２００からの電流を供給せず、表示領域３１ａ内の発光部材のみに電流を供給し、表示領域３１ａ内にマトリックス状に配置された発光部材のみを総て発光させる。そのため、オペレータは、表示領域３１ａ内に玉切れした発光部材がないかを、目視で確認可能である。
【００２７】
次に、点滅制御装置３２は、図８に示すように、表示領域３１ａ，３１ｃ〜３１ｅ内の発光部材には電源２００からの電流を供給せず、表示領域３１ｂ内の発光部材のみに電流を供給し、表示領域３１ｂ内にマトリックス状に配置された発光部材のみを総て発光させる。そのため、オペレータは、表示領域３１ｂ内に玉切れした発光部材がないかを、目視で確認可能である。
【００２８】
次に、点滅制御装置３２は、図９に示すように、表示領域３１ａ，３１ｂ，３１ｄ，３１ｅ内の発光部材には電源２００からの電流を供給せず、表示領域３１ｃ内の発光部材のみに電流を供給し、表示領域３１ｃ内にマトリックス状に配置された発光部材のみを総て発光させる。そのため、オペレータは、表示領域３１ｃ内に玉切れした発光部材がないかを、目視で確認可能である。
【００２９】
次に、点滅制御装置３２は、図１０に示すように、表示領域３１ａ〜３１ｃ，３１ｅ内の発光部材には電源２００からの電流を供給せず、表示領域３１ｄ内の発光部材のみに電流を供給し、表示領域３１ｄ内にマトリックス状に配置された発光部材のみを総て発光させる。そのため、オペレータは、表示領域３１ｄ内に玉切れした発光部材がないかを、目視で確認可能である。
【００３０】
次に、点滅制御装置３２は、図１１に示すように、表示領域３１ａ〜３１ｄ内の発光部材には電源２００からの電流を供給せず、表示領域３１ｅ内の発光部材のみに電流を供給し、表示領域３１ｅ内にマトリックス状に配置された発光部材のみを総て発光させる。そのため、オペレータは、表示領域３１ｅ内に玉切れした発光部材がないかを、目視で確認可能である。
【００３１】
ここで、図１２に示すように、発光部材の玉切れを検査するために、表示領域３１ａ〜３１ｅの総ての発光部材を同時に発光させると、供給に必要な電流が一時的に大きくなる。これに対し、第１の実施の形態に係る流量計によれば、図７乃至図１１に示したように、表示領域３１ａ〜３１ｅのそれぞれに、電流を逐次供給するため、供給に必要な電流の最大値を、図１２に示す場合と比較して、抑制することが可能となる。そのため、電源２００の小型化が可能となり、ひいては、流量計の小型化も可能となる。また、点滅制御装置３２は、肉眼視において生じる残像現象を利用して省電力を図る、いわゆるダイナミック点灯制御方式を採用することが多い。たとえば、図６のように表示領域３１ｃ〜３１ｅを点灯させる場合、領域３１ｅを所定時間点灯した後消灯し、次に領域３１ｄを所定時間点灯した後消灯し、次に領域３１ｃを所定時間点灯した後消灯し、次に領域３１ｂを所定時間消灯したままにし、次に領域３１ａを所定時間消灯したままにし、また領域３１ｅに戻るという点滅制御を短時間に周回的に繰り返すことで、人間の視覚には表示領域３１ｃ〜３１ｅが常時点灯しているように見せるという点灯方式である。このようなダイナミック点灯制御方式を本発明の実施の形態に適用することで、さらに電源の容量を小さくすることが可能である。例えば、図１１に示すように、表示領域３１ａ〜３１ｄ内の発光部材には電源２００からの電流を供給せず、表示領域３１ｅ内の発光部材のみに電流を供給して表示領域３１ｅ内にマトリックス状に配置された発光部材のみを総て発光させる際に、表示領域３１ｅ内の発光部材への電流供給を所定時間間隔で断続的に行うことで実施できる。
【００３２】
(第２の実施の形態)
第１の実施の形態においては、計測された流量を表示する表示システムについて、図２に示すように、複数の表示領域３１ａ〜３１ｅが、横一列に配置された例を説明した。これに対し、警報等を表示する自立盤では、図１３に示すように、複数の表示領域３１ａ〜３１ｅ，３１ｆ，３１ｇ，３１ｈ，３１ｉ，３１ｊ、３１ｋ，３１ｌ，３１ｍ，３１ｎ，３１ｏがマトリックス状に配置される場合も多い。第２の実施の形態においても、複数の表示領域３１ａ〜３１ｏのそれぞれの中の発光部材を逐次発光させることにより、供給に必要な電流の最大値を抑制しながら、発光部材の玉切れを確認することが可能である。
【００３３】
(第３の実施の形態)
第１の実施の形態においては、図２に示す複数の表示領域３１ａ〜３１ｅのそれぞれに、複数の発光部材がマトリックス状に配置されている例を説明した。これに対し、第３の実施の形態では、図１４に示すように、複数の表示領域１３１ａ，１３１ｂ，１３１ｃ，１３１ｄ，１３１ｅにおいて、発光部材はデジタル数字の形状に配置されている。
【００３４】
ここで、複数の表示領域１３１ａ〜１３１ｅのそれぞれの発光部材の玉切れを検査する際、まず、図１５に示すように、表示領域１３１ｂ〜１３１ｅの発光部材には電流が供給されず、表示領域１３１ａの発光部材のみに電流が供給される。一定時間経過後、図１６に示すように、表示領域１３１ｂの発光部材のみに電流が供給され、さらに一定時間経過後、図１７に示すように、表示領域１３１ｃの発光部材のみに電流が供給される。
【００３５】
ここで、表示領域１３１ｃの発光部材の総てに電流が供給されると、発光部材が玉切れしていない場合は、数字の「８」が表示される。しかし、発光部材の一部が玉切れすると、例えば、数字の「９」が表示される。そのため、目視により、発光部材の玉切れを確認することが可能となる。
【００３６】
その後、図１８に示すように、表示領域１３１ｄの発光部材のみに電流が供給され、さらに一定時間経過後、図１９に示すように、表示領域１３１ｅの発光部材のみに電流が供給される。第３の実施の形態においても、図１５乃至図１９に示したように、表示領域１３１ａ〜１３１ｅのそれぞれに、電流を逐次供給するため、供給に必要な電流の最大値を抑制することが可能となる。
【００３７】
（第４の実施の形態）
第４の実施の形態に係る流量制御装置は、図２０に示すように、流量計５０、流量計５０の排出口１４に接続された流路９９、及び流路９９に接続され、流体の流量を制御する制御弁４１を備える。制御弁４１は、例えばソレノイド弁である。制御弁４１は、流路４３及び流路４４と、流路４３及び流路４４を連通する弁室４５が設けられた弁座４２、弁室４５に収納され、流路４４を開閉する弁体４６、弁体４６に連結された磁性体のプランジャ４７、及び通電されてプランジャ４７を上下させるソレノイドコイル４８を備える。
【００３８】
流量計５０は、第１の実施の形態に係る流量計の構成要素に加えて、流量計測部３０１で算出された積算流量に基づき、制御弁４１を駆動し、流路１１及び流路９９を流れる流体の流量を調節するコントローラ３１０をさらに備える。コントローラ３１０は、流量計測部３０１及び制御弁４１のソレノイドコイル４８に電気的に接続されている。コントローラ３１０は流量計測部３０１から積算流量の信号を受信し、積算流量が設定値よりも多い場合は、ソレノイドコイル４８に通電して、流量を減少させる。また積算流量が設定値よりも少ない場合は、ソレノイドコイル４８に通電して、流量を増加させる。
【００３９】
第４の実施の形態に係る流量制御装置は、第１の実施の形態で説明した流量計を採用しているため、小型の電源２００で駆動することが可能である。なお、流量計５０と制御弁４１は一体化してもよい。
【００４０】
（その他の実施の形態）
上記のように本発明を実施の形態によって記載したが、この開示の一部をなす記述及び図面はこの発明を限定するものであると理解するべきではない。この開示から当業者には様々な代替実施の形態、実施例及び運用技術が明らかになるはずである。例えば、第１の実施の形態においては、図１に示す電源２００のスイッチが入ったときに、図７乃至図１１に示すに、表示領域３１ａ〜３１ｅのそれぞれに電流を逐次供給する例を説明した。これに対し、図１に示す入力装置２５１を介して、オペレータが発光部材の玉切れを検査するためのコマンドを入力し、インタフェース３５０がコマンドに応じた信号を受信した場合にも、図７乃至図１１に示すように、表示領域３１ａ〜３１ｅのそれぞれに電流を逐次供給してもよい。また、流量計測部３０１等は、同様の機能を発揮させるプログラムを実行するＣＰＵ３００の機能の一部であってもよいことはもちろんである。この様に、本発明はここでは記載していない様々な実施の形態等を包含するということを理解すべきである。したがって、本発明はこの開示から妥当な特許請求の範囲の発明特定事項によってのみ限定されるものである。
【符号の説明】
【００４１】
１０ 流路保持体
１１ 流路
１３ 注入口
１４ 排出口
２１ 左シフトキー
２２ 右シフトキー
２３ 下キー
２４ 上キー
２５ 実行キー
２６ 入力キー
２７ 表示キー
３０ 制御ユニット
３１ａ，３１ｂ，３１ｃ，３１ｄ，３１ｅ  表示領域
３２ 点滅制御装置
３５ 表示装置
３７ 単位表示部
３８ 警告灯
４１ 制御弁
４２ 弁座
４３ 流路
４４ 流路
４５ 弁室
４６ 弁体
４７ プランジャ
４８ ソレノイドコイル
５０ 流量計
６０ 基板
６１ ヒータ
６２ 上流側測温抵抗素子
６３ 下流側測温抵抗素子
６４ 周囲温度センサ
６５ 絶縁膜
６６ キャビティ
９９ 流路
１５０  表示システム
２００  電源
２５１  入力装置
２５２  自立盤
３０１  流量計測部
３０２  料金算出部
３０３  算出条件変更部
３０４  タイマ
３１０  コントローラ
３５０  インタフェース
４００  流量記憶装置
４０１  算出条件記憶装置
４０２  設定時間記憶装置
【図１】
2010224227.tif 000003
【図３】
2010224227.tif 000004
【図４】
2010224227.tif 000005
【図５】
2010224227.tif 000006
【図１２】
2010224227.tif 000007
【図２０】
2010224227.tif 000008
【図２】
2010224227.tif 000009
【図６】
2010224227.tif 000010
【図７】
2010224227.tif 000011
【図８】
2010224227.tif 000012
【図９】
2010224227.tif 000013
【図１０】
2010224227.tif 000014
【図１１】
2010224227.tif 000015
【図１３】
2010224227.tif 000016
【図１４】
2010224227.tif 000017
【図１５】
2010224227.tif 000018
【図１６】
2010224227.tif 000019
【図１７】
2010224227.tif 000020
【図１８】
2010224227.tif 000021
【図１９】
2010224227.tif 000022